(57)【特許請求の範囲】
【請求項１】
対象物の挟持又は切断等を行う機能部と、使用者が力を加えることにより前記機能部を操作可能な操作部と、一対の弾性を有する板状部材からなり前記操作部を前記機能部が開く方向に付勢するバネ部と、を備える外科手術用器具において、
前記バネ部の板状部材に複数の溝を形成することにより、前記バネ部の押圧反発力及び屈曲特性に変化を生じさせて前記機能部の操作性を調整可能にすることを特徴とする外科手術用器具。
【請求項２】
前記溝が、前記板状部材に等間隔に配置されることを特徴とする請求項１に記載の外科手術用器具。
【請求項３】
前記溝が、前記板状部材に不均等な間隔で配置されることを特徴とする請求項１に記載の外科手術用器具。
【請求項４】
前記溝が、前記板状部材の内側のみに形成されることを特徴とする請求項１に記載の外科手術用器具。
【請求項５】
前記溝が、前記板状部材の外側のみに形成されることを特徴とする請求項１に記載の外科手術用器具。
【請求項６】
前記溝が、前記板状部材の内側及び外側双方に形成されることを特徴とする請求項１に記載の外科手術用器具。
【請求項７】
前記溝が、前記板状部材の長尺方向に対して垂直に形成されることを特徴とする請求項１に記載の外科手術用器具。
【請求項８】
前記溝が、前記板状部材の長尺方向に対して斜めに形成されることを特徴とする請求項１に記載の外科手術用器具。
【請求項９】
前記外科手術用器具が、前記機能部が刃から構成された鋏であることを特徴とする請求項１に記載の外科手術用器具。
【請求項１０】
前記外科手術用器具が、前記機能部が挟持部から構成された持針器であることを特徴とする請求項１に記載の外科手術用器具。
【請求項１１】
前記外科手術用器具が、Ｘ状に組み合わせた一方脚と他方脚からなり、その交差部に両脚を互いに回動可能に枢支する支点部が形成されると共に、両脚の一方側に前記機能部、他方側に前記操作部及びバネ部が配置されることを特徴とする請求項１に記載の外科手術用器具。
【請求項１２】
前記外科手術用器具が、一方脚と他方脚からなり、両脚の一方側に前記機能部、他方側に前記操作部及びバネ部が配置され、
前記操作部の一方脚を回動可能に枢支する第一の支点部と、前記機能部の一方脚を回動可能に枢支する第二の支点部と、前記第一の支点部と第二の支点部を連結して前記操作部の操作を機能部に伝えるスライディングシャフトを備えることを特徴とする請求項１に記載の外科手術用器具。
【発明の詳細な説明】
【技術分野】
【０００１】
本発明は、外科手術用器具に係り、特に、板状の弾性部材を利用して物の挟持又は切断等を行う外科手術用の把持器、持針器、鋏、ピンセット等に関する。
【背景技術】
【０００２】
一対の弾性を有する板状部材からなるバネ部を備えた外科手術用の把持器、持針器、鋏、ピンセット等は、従来から広く利用されている。図１３に、このような従来の外科手術用器具を示す。
【０００３】
図１３に示すように、外科手術用器具１００（ここでは例として、持針器を図示）は、一方脚と他方脚をＸ状に組み合わせて構成され、両脚の一方端に形成される機能部（挟持部）１０１と、両脚の交差部において両脚を互いに回動可能に枢支する支点部１０２と、使用者が掴持することで機能部１０１を開閉操作可能な操作部１０３と、操作部１０３から延出すると共に後端部で互いに係合され、操作部１０３を開く方向に付勢するバネ部１０４と、操作部１０３内側に配置され、突出した板状部とレ字状部を互いに掛合することによって両脚の操作部１０３を係止可能な係止部１０５と、を備えている。
【０００４】
このような外科手術用器具１００を構成する一方脚と他方脚は、弾性を有する金属素材（チタン、ステンレス鋼等）からなり、機能部１０１、操作部１０３、バネ部１０４が一体に形成されている。
【０００５】
また、外科手術用器具１００では、使用者は操作部１０３を掴持し力を加えることで機能部１０１を開閉する。バネ部１０４は、図１３に示すように長尺な薄板からなり、それぞれ湾曲した状態で一方の後端と他方の後端がバネ係合部１０６において互いに係合しており、両脚の操作部１０３を開く方向に付勢している。
【０００６】
なお、操作部１０３に力を加えて一定以上操作部１０３を閉じると、機能部１０１が閉じると共に、係止部１０５の突出した板状部とレ字状部が互いに掛合してロックされ、機能部１０１を閉じた状態で保持することができる。このロックされた係止部１０５をロック解除する際には、操作部１０３を閉じる方向にさらに力を加えて、係止部１０５の板状部とレ字状部を離脱させる。
【発明の概要】
【発明が解決しようとする課題】
【０００７】
上記のような従来の外科手術用器具１００では、通常、バネ部１０４の押圧反発力及び屈曲特性によって、使用者が力を加えた際の操作性、使用感（操作時の重さ、硬さ等）が異なる。押圧反発力及び屈曲特性は、バネ部１０４の形状や素材によって変わり、操作性、使用感に影響を与える（例えばチタン製は硬く感じる等）。
【０００８】
上述したような板状のバネ部１０４を備える外科手術用器具１００の場合、理想は自在にバネ性能に特徴を持たせ得ることである。即ち、その形状や素材に関わらず適切な操作性を与えると共に、把持器、持針器、鋏、ピンセット等、それぞれの形態に対応した適切な使用感に調整し得ることが重要である。
【０００９】
しかしながら、従来の外科手術用器具１００ではそのような微妙な調整が難しいのが現状である。故に、例えば機能部１０１が閉じてから係止部１０５をロックするまでが重い等の、操作性の改善に対応することは難しかった。
【００１０】
そこで本発明は、上記従来の問題点に鑑みて、バネ部の屈曲性能を簡易に調整し操作性を改善することが可能な外科手術用器具を提供することを目的とする。
【課題を解決するための手段】
【００１１】
本発明は、上記課題を解決するために、対象物の挟持又は切断等を行う機能部と、使用者が力を加えることにより前記機能部を操作可能な操作部と、一対の弾性を有する板状部材からなり前記操作部を前記機能部が開く方向に付勢するバネ部と、を備える外科手術用器具において、前記バネ部の板状部材に複数の溝を形成することにより、前記バネ部の押圧反発力及び屈曲特性に変化を生じさせて前記機能部の操作性を調整可能にすることを特徴とする外科手術用器具を提供するものである。
【００１２】
ここで、前記溝は、前記板状部材に等間隔、又は不均等な間隔で配置される。また、前記溝は、前記板状部材の内側のみ、又は前記板状部材の外側のみ、あるいは前記板状部材の内側と外側双方に形成されるのが好ましい。さらに、前記溝は、前記板状部材の長尺方向に対して垂直、もしくは前記板状部材の長尺方向に対して斜めに形成されるのが好適である。
【００１３】
なお、前記外科手術用器具は、前記機能部が刃から構成された鋏とするのが好ましい。又は、前記機能部が挟持部から構成された持針器であっても良い。
【００１４】
また、前記外科手術用器具は、Ｘ状に組み合わせた一方脚と他方脚からなり、その交差部に両脚を互いに回動可能に枢支する支点部が形成されると共に、両脚の一方側に前記機能部、他方側に前記操作部及びバネ部が配置される外科手術用器具であるのが好適である。
【００１５】
もしくは、前記外科手術用器具は、一方脚と他方脚からなり、両脚の一方側に前記機能部、他方側に前記操作部及びバネ部が配置され、前記操作部の一方脚を回動可能に枢支する第一の支点部と、前記機能部の一方脚を回動可能に枢支する第二の支点部と、前記第一の支点部と第二の支点部を連結して前記操作部の操作を機能部に伝えるスライディングシャフトを備える外科手術用器具であっても良い。
【発明の効果】
【００１６】
本発明の外科手術用器具によれば、バネ部の押圧反発力及び屈曲特性を非常に簡易な加工のみにより変えることで、外科手術用器具の形状や素材に関わらず適切な使用感を与えると共に、把持器、持針器、鋏、ピンセット等、どのような形態でも、適切な操作性に調整することができる。
【図面の簡単な説明】
【００１７】
【図１】本発明の一実施形態に係る外科手術用器具の概要を示す斜視図である。
【図２】図１の外科手術用器具を係止部でロックした状態を示す斜視図である。
【図３】図１の外科手術用器具におけるバネ係合部の詳細を示す模式図である。
【図４】図１の外科手術用器具における溝の概略を示す模式図である。
【図５】外科手術用器具に溝を形成した場合におけるバネ部への押圧力（バネ部の反発力）に対する、バネ部のあるポイントにおける屈曲率の特性の例を示す。
【図６】本発明の一実施形態に係る外科手術用器具の、溝の配置例（その１）を示す模式図である。
【図７】本発明の一実施形態に係る外科手術用器具の、溝の配置例（その２）を示す模式図である。
【図８】本発明の一実施形態に係る外科手術用器具の、溝の配置例（その３）を示す模式図である。
【図９】本発明の一実施形態に係る外科手術用器具における機能部のバリエーション例を示す模式図である。
【図１０】本発明の他の実施形態に係る外科手術用器具（その１）の概要を示す斜視図である。
【図１１】本発明の他の実施形態に係る外科手術用器具（その２）の概要を示す斜視図である。
【図１２】本発明の他の実施形態に係る外科手術用器具（その３）の概要を示す斜視図である。
【図１３】従来の外科手術用器具（持針器）の概要を示す斜視図である。
【発明を実施するための形態】
【００１８】
以下、本発明の実施の形態について、図面を参照しながら詳細に説明する。
【００１９】
図１は、本発明の一実施形態に係る外科手術用器具の概要を示す斜視図である。また図２は、この外科手術用器具を係止部でロックして閉じた状態を示す斜視図である。
【００２０】
これらの図に示すように、外科手術用器具１０（ここでは例として、持針器を図示）は、一方脚と他方脚をＸ状に組み合わせて構成され、両脚の一方端に形成される挟持部（機能部）１１と、両脚の交差部において両脚を互いに回動可能に枢支する支点部１２と、使用者が掴持することで挟持部１１を開閉操作可能な操作部１３と、複数の溝１４Ａが形成され操作部１３を開く方向に付勢するバネ部１４と、操作部１３の内側に配置され、突出した板状部とレ字状部を互いに掛合することによって両脚の操作部１３を係止可能な係止部１５とを備えている。
【００２１】
持針器１０を構成する両脚は、錆びにくく弾性を有する金属素材（チタン、ステンレス鋼等）からなり、挟持部１１、操作部１３、バネ部１４が一体に形成されている。挟持部１１及び操作部１３の後端は、長尺な薄板状のバネ部１４を形成しており、このバネ部１４の後端部は、バネ係合部１６において互いに係合している。
【００２２】
図３にバネ係合部１６の詳細を示す。図３（ａ）は一方脚のバネ部後端を示す模式図、図３（ｂ）は他方脚のバネ部後端を示す模式図、図３（ｃ）は双方を係合させた状態を示す斜視図である。
【００２３】
図３（ａ）に示すように、一方脚のバネ部１４端部には開口部１６Ａが設けられている。また図３（ｂ）に示すように、他方脚のバネ部１４端部には差込部１６Ｂが設けられている。差込部１６Ｂは、頭部１６１と頸部１６２からなる。頭部１６１の幅Ｎは、開口部１６Ａの幅Ｌより大きく、開口部１６Ａの対角長Ｍよりも小さい。また、頸部１６２の幅Ｏは開口部１６Ａの幅Ｌより小さい。このような開口部１６Ａに差込部１６Ｂを差し込めば、互いに脱落することなく図３（ｃ）のように係合できる。バネ部１４の端部をこのように係合させることで、湾曲した長尺薄板状のバネ部１４が両脚の操作部１３を開く方向に付勢する。
【００２４】
バネ部１４の外側には、図１乃至図３に示すように、複数の溝１４Ａが形成されている。図４に溝１４Ａを拡大して示す。図４（ａ）は矩形状、図４（ｂ）はＶ状、図４（ｃ）は半円状の溝１４Ａを示している。このように、溝１４Ａの形状は様々なものを適用できる。
【００２５】
金属からなる板状のバネ部１４において、上記のように溝１４Ａを形成した箇所は湾曲しやすくなる。そこで、このような溝１４Ａを形成する位置、間隔、本数等を調整することにより、バネ部の屈曲特性を簡単に調節することが可能となる。
【００２６】
図５は、バネ部１４への押圧力（バネ部の反発力）に対する、バネ部１４のある一点における屈曲率の特性を示すグラフである。図５において、実線ａは従来のバネ部を有する外科手術用器具、破線ｂ、ｃ、ｄは溝を設けた本発明のバネ部を有する外科手術用器具を示している。
【００２７】
図５から判るように、本発明では、バネ部１４の任意の箇所に複数の溝１４Ａを形成することにより、実線aから点線ｂ、ｃ、ｄに示す任意の特性に自在に変化させることが可能となる。このように、バネ部１４の屈曲特性を変化させることにより、外科手術用器具１０の操作性の調整を可能にする。
【００２８】
なお、図１乃至図４では、溝１４Ａをバネ部１４の外側のみに、等間隔に配置した例を示したが、バネ部１４の屈曲特性を調整可能にするため、溝１４Ａは様々な間隔で、様々な位置に配置することができる。
【００２９】
図６では、配置の間隔が等間隔でない溝１４Ｂの例を示している。
【００３０】
また、図７には、バネ部１４の内側のみに配置された溝１４Ｃ〔図７（ａ）〕、及び、バネ部１４の外側と内側の両面に配置された溝１４Ａ、１４Ｃ〔図７（ｂ）〕を示している。
【００３１】
さらに、図８には、バネ部１４の長尺方向に対して斜めに形成された溝１４Ｄを示す。図１乃至図７ではバネ部１４の長尺方向に対して垂直に溝１４Ａ、１４Ｂ、１４Ｃを形成しているが、これに限らず種々の角度で配置して良い。
【００３２】
なお、上記では外科手術用器具１０として持針器を例に図示したが、機能部１１の形態を変更することで、鋏や特殊な鉗子等々、様々な外科手術用器具に適用可能である。また、機能部１１の形状もストレート型や曲折型等、様々に変形できる。
【００３３】
図９に、外科手術用器具１０の機能部１１のバリエーション例を示す。図９（ａ）では、機能部１１が鋏１１Ａとなっている。図９（ｂ）では、機能部１１が曲折した挟持部１１Ｂとなっている。また、図９（ｃ）では、機能部１１が湾曲した挟持部１１Ｃとなっている。
【００３４】
さらに上記では、Ｘ字状に枢着された一方脚と他方脚を、板状の弾性部材を利用して開閉する外科手術用器具１０であり、なおかつバネ部１４が機能部１１と操作部１３の後端、かつ操作部１３の延長上に位置する外科手術用器具１０について説明したが、本発明はこれに限定されず、板状の弾性部材を利用して物の挟持又は切断を行う外科手術用器具であれば適用することが可能である。
【００３５】
図１０に、リング状の操作部２３を備えた外科手術用器具２０（ここでは例として鋏）を示す。この外科手術用器具２０は、機能部（切断部）２１と、支点部２２と、リング状の操作部２３と、複数の溝２４Ａが形成されると共にこのリング状の操作部２３の間に位置し、操作部２３を開く方向に付勢するバネ部２４と、を備えている。なお、符号２６はバネ係合部である。このような形態の外科手術用器具２０でも、バネ部２４に溝２４Ａを設けることにより、操作性を調整することができる。
【００３６】
図１１は、操作部３３間にバネ部３４が配置された外科手術用器具３０（ここでは例として持針器）を示す模式図である。この外科手術用器具３０は、機能部（挟持部）３１と、支点部３２と、操作部３３と、複数の溝３４Ａが形成されると共に操作部３３の間に配置され操作部３３を開く方向に付勢するバネ部３４と、を備えている。なお、符号３６はバネ係合部である。このような形態の外科手術用器具３０でも、バネ部３４に溝３４Ａを設けることにより、操作性を調整することができる。
【００３７】
図１２は、二箇所の支点部４２Ａ、４２Ｂとスライディングシャフトにより機能部４３を開閉する仕組みの外科手術用器具４０（ここでは例として持針器）を示す模式図である。この外科手術用器具４０は、機能部（挟持部）４１と、機能部４１の一方を回動可能に枢支する支点部４２Ａと、操作部４３の一方を回動可能に枢支する支点部４２Ｂと、操作部４３と、複数の溝４４Ａが形成され操作部４３を開く方向に付勢するバネ部４４と、支点部４２Ａ、４２Ｂを介して機能部４１と操作部４３を連結するスライディングシャフト（図示せず）と、を備えている。なお、符号４６はバネ係合部である。使用者が操作部４３を掴持し力を加えて操作部４３を閉じると、スライディングシャフトによりこれに連動して機能部４１も閉じる仕組みである。このような外科手術用器具４０でも、バネ部４４に溝４４Ａを設けることにより、操作性を調整することができる。
【００３８】
このように、本発明の外科手術用器具によれば、バネ部の押圧反発力及び屈曲特性を非常に簡易な加工のみにより変えることで、外科手術用器具の形状や素材に関わらず適切な使用感を与えると共に、把持器、持針器、鋏、ピンセット等、どのような形態でも、適切な操作性に調整することができる。
【００３９】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００４０】
本発明は、外科手術用器具に係り、特に、板状の弾性部材を利用して物の挟持又は切断等を行う外科手術用の把持器、持針器、鋏、ピンセット等に関し、産業上の利用可能性を有する。
【符号の説明】
【００４１】
１０    外科手術用器具
１１    機能部（挟持部）
１１Ａ  鋏
１１Ｂ  挟持部
１１Ｃ  挟持部
１２    支点部
１３    操作部
１４    バネ部
１４Ａ  溝
１４Ｂ  溝
１４Ｃ  溝
１５    係止部
１６    バネ係合部
１６Ａ  開口部
１６Ｂ  差込部
１６１  頭部
１６２  頸部
２０    外科手術用器具
２１    機能部（切断部）
２２    支点部
２３    リング状の操作部
２４    バネ部
２４Ａ  溝
２６    バネ係合部
３０    外科手術用器具
３１    機能部（挟持部）
３２    支点部
３３    操作部
３４    バネ部
３４Ａ  溝
３６    バネ係合部
４１    機能部（挟持部）
４２Ａ  支点部
４２Ｂ  支点部
４３    機能部
４４    バネ部
４４Ａ  溝
４６    バネ係合部
【要約】
【課題】バネ部の押圧反発力及び屈曲性能を簡易に調整し操作性を改善することが可能な外科手術用器具を提供する。
【解決手段】対象物の挟持又は切断等を行う機能部１１と、使用者が力を加えることにより機能部１１を操作可能な操作部１３と、一対の弾性を有する板状部材からなり操作部１３を機能部１３が開く方向に付勢するバネ部１４と、を備える外科手術用器具１０において、バネ部１４の板状部材に複数の溝１４Ａを形成することにより、バネ部１４の押圧反発力及び屈曲特性に変化を生じさせて機能部１１の操作性を調整可能にする。
【選択図】図１【図１】
0004693194.tif 000002
【図２】
0004693194.tif 000003
【図３】
0004693194.tif 000004
【図４】
0004693194.tif 000005
【図５】
0004693194.tif 000006
【図６】
0004693194.tif 000007
【図７】
0004693194.tif 000008
【図８】
0004693194.tif 000009
【図９】
0004693194.tif 000010
【図１０】
0004693194.tif 000011
【図１１】
0004693194.tif 000012
【図１２】
0004693194.tif 000013
【図１３】
0004693194.tif 000014